(57)【要約】【課題】部品バラツキ、環境バラツキ、記録材の違いによる生じる尾引き画像の改善を目的とする。【解決手段】定着フィルムにバイアスを印加するバイアス印加手段、定着フィルムに流れる電流値を検出する電流検知手段、電流検知手段の検出値に基づき、定着フィルムのインピーダンスを検出するインピーダンス検出手段、インピーダンス検出手段の検出値に基づき、定着フィルムに印加するバイアスを設定するバイアス設定手段で構成されている。【選択図】        図１
2006171053.tif 000002
【特許請求の範囲】
【請求項１】
記録材上にトナー像を形成する画像形成部と、該トナー像を加熱して該記録材に定着させる定着装置を備える画像形成装置において、
該定着装置に、加熱体としてセラミックヒータを使用するとともに、
該セラミックヒータに対向配置した加圧部材と、
セラミックヒータと該加圧部材との間にて挟持搬送される定着フィルムとを備え、
該加圧部材と定着フィルムとの間に記録材を挟持搬送する前に、
該定着フィルムにバイアスを印加するバイアス印加手段、
前記バイアス印加時に該定着フィルムに流れる電流値を検出する電流検知手段、
前記電流検知手段の検出値に基づき、該定着フィルムのインピーダンスを検出するインピーダンス検出手段、
該加圧部材と定着フィルムとの間に記録材を挟持搬送するときに、
前記インピーダンス検出手段の検出値に基づき、該定着フィルムに印加するバイアスを設定するバイアス設定手段、
を有することを特徴とする画像形成装置。
【請求項２】
前記バイアス印加手段にて、前記電流検知手段の検出値が一定となるようにバイアスを設定し、その設定値にて該定着フィルムのインピーダンスを検出することを特徴とする請求項１記載の画像形成装置。
【請求項３】
前記バイアス設定手段にて、一定電圧を印加し、前記電流検知手段の検出値にて該定着フィルムのインピーダンスを検出することを特徴とする請求項１記載の画像形成装置。
【請求項４】
前記バイアス印加手段にて、周囲温度に応じて、印加するバイアスを
設定することを特徴とする請求項１記載の画像形成装置。
【請求項５】
前記バイアス印加手段にて、該記録材に応じて、印加するバイアスを
設定することを特徴とする請求項１記載の画像形成装置。
【発明の詳細な説明】
【技術分野】
【０００１】
本発明は、トナー像を記録材に定着させる加熱装置、及びこれを備えた画像形成装置に関するものである。
【背景技術】
【０００２】
画像形成装置のうち、プリンタを例にとって説明する。
【０００３】
従来プリンタは、図１０のごとき機構をしている。図１０において、１０１は静電担持体である感光体ドラム、１０２は光源としての半導体レーザ、１０３はスキャナモータ１０４によって回転する回転多面鏡、１０５は半導体レーザ１０２から発射され、感光体ドラム１０１上を走査するレーザビームである。
【０００４】
１０６は感光体ドラム１０１上を一様に帯電するための帯電ローラ、１０７は感光体ドラム１０１上に形成された静電潜像をトナーにて現像するための現像機である。１０８は現像機１０７にて現像されたトナー像を所定の記録用紙に転写するための転写ローラ、１０９は記録用紙に転写されたトナーを熱にて融着するための定着ローラである。
【０００５】
１１０は１回転する事により、記録用紙のサイズを識別する機能を有するカセットから用紙を給紙、搬送路に送り出すカセット給紙ローラ、１１１は記録用紙のサイズを識別する機能を有しない手差し給紙口から用紙を搬送路に送り込む手差し給しローラである。１１２は着脱可能で記録用紙のサイズを識別する機能を有するカセットから用紙を搬送路に送り込むオプションカセット給紙ローラ、１１３は着脱可能で封筒のみ積載可能な封筒フィーダから用紙を１枚ずつ搬送路に送り込む封筒フィーダ給紙ローラである。１１４、１１５はカセットから給紙された用紙を搬送する搬送ローラである。
【０００６】
１１６は封筒フィーダ以外から給紙された用紙の先端と後端を検出するためのプレフィードセンサ、１１７は搬送された用紙を感光体ドラム１０１へ送り込む転写前ローラ、１１８は給紙された用紙にたいし、感光体ドラム１０１への画像書き込み（記録／印字）と用紙搬送の同期をとると共に、給紙された用紙の搬送方向の長さを測定するためのトップセンサである。１１９は定着後の用紙の有無を検出するための排紙センサ、１２０は定着後の用紙を機外に排出するための排出ローラである。
【０００７】
１２１は印字された用紙の搬送先（機外排出あるいは、着脱可能な両面ユニット）を切り換えるフラッパ、１２２は両面ユニットに搬送された用紙を反転部に搬送するための搬送ローラ、１２３は反転部に搬送された用紙の先端／後端を検出する反転センサ、１２４は正転／逆転をシーケンシャルに動作させる事で、用紙を反転させ、再給紙部に用紙を搬送するための反転ローラ、１２５は再給紙部の用紙有無を検出再給紙センサ、１２６は再給紙部の用紙を再び搬送路へ送り込むための再給紙ローラである。
【０００８】
このような機構部を制御するための制御系の回路構成ブロック図を図１１に示す。
【０００９】
図１１において、２０１は不図示のホストコンピュータ等の外部機器から送られる画像コードデータをプリンタの印字に必要なビットデータに展開すると共に、プリンタ内部情報を読み取りそれを表示するためのプリンタコントローラである。
【００１０】
２０２はプリンタエンジンの各部をプリンタコントローラ２０１の指示にしたがって動作制御すると共に、プリンタコントローラ２０１へプリンタ内部情報を報知するためのプリンタエンジン制御部である。２０３はプリンタエンジン制御部２０２の指示に従い、記録用紙搬送のためのモータ、ローラ等の駆動／停止を行う用紙搬送制御部、２０４は帯電、現像、転写等各工程における各高圧の出力制御をプリンタエンジン制御部２０２の指示にしたがって行う高圧制御部である。
【００１１】
２０５はスキャナモータ１０４の駆動／停止、レーザビームの点灯をエンジン制御部２０２の指示にしたがって制御する光学系制御部である。２０７は定着器の温度をプリンタエンジン制御部２０２の指定した温度に調節するための定着温度制御部である。
【００１２】
２０８は着脱可能なオプションカセット制御部で、プリンタエンジン制御２０２の指示により駆動系の駆動／停止を行うと共に、紙有無状態、紙サイズ情報をプリンタエンジン制御部２０２に報知する。
【００１３】
２０９は着脱可能な両面ユニット制御部で、プリンタエンジン制御部２０２の指示にしたがって、用紙の反転および再給紙動作を行うと同時に、その動作状態をエンジン制御部２０２に報知する。
【００１４】
２１０は着脱可能な封筒フィーダ制御部で、プリンタエンジン制御部２０２の指示により駆動系の駆動／停止を行うとともに、紙有無状態をプリンタエンジン制御部２０２に報知する。
【００１５】
図１２に、定着バイアス印加構成の概略構成を示す。
【００１６】
４０１は加熱定着装置であり、定着フィルム４０２、加熱体であるセラミックヒータ４０３、加圧ローラ４０４を含んで構成されている。また、４０６は定着バイアス装置で、電装装置の内部に回路形成されている。
【００１７】
この定着バイアス装置は、加熱体にセラミックヒータを使用している場合、定着フィルムに接続され、負極性のトナーを使用している場合には負電圧を印加させる。このバイアスを印加することにより、紙にトナーを引きつけ、トナーが飛び散ることを押さえる。
【特許文献１】特開２００３−３３０２９７号公報
【発明の開示】
【発明が解決しようとする課題】
【００１８】
従来、定着バイアスは、一定の負電圧を印加させる構成、かつ定着フィルムのみに印加する構成で実施していた。この構成で行った場合、プリントスピードＵＰの伴い、印字手段、環境温度、画像濃度設定といった多くの条件を全て網羅することが出来ず、トナーが飛び散ることを押さえることが出来なくなってきた。
【００１９】
本発明は、以上の点に着目してなされたもので、部品バラツキ、環境バラツキ、記録材の違いによる生じる尾引き画像を改善する画像形成装置を提供することを目的とする。
【課題を解決するための手段】
【００２０】
記録材上にトナー像を形成する画像形成部と、該トナー像を加熱して該記録材に定着させる定着装置を備える画像形成装置において、以下の構成を備えることにより前記課題を解決できた。
【００２１】
（１）該定着装置に、加熱体としてセラミックヒータを使用するとともに、該セラミックヒータに対向配置した加圧部材と、セラミックヒータと該加圧部材との間にて挟持搬送される定着フィルムとを備え、該加圧部材と定着フィルムとの間に記録材を挟持搬送する前に、該定着フィルムにバイアスを印加するバイアス印加手段、前記バイアス印加時に該定着フィルムに流れる電流値を検出する電流検知手段、前記電流検知手段の検出値に基づき、該定着フィルムのインピーダンスを検出するインピーダンス検出手段、該加圧部材と定着フィルムとの間に記録材を挟持搬送するときに、前記インピーダンス検出手段の検出値に基づき、該定着フィルムに印加するバイアスを設定するバイアス設定手段を有することを特徴とする画像形成装置を提供する。
【００２２】
（２）前記バイアス印加手段にて、前記電流検知手段の検出値が一定となるようにバイアスを設定し、その設定値にて該定着フィルムのインピーダンスを検出することを特徴とする前記（１）記載の画像形成装置を提供する。
【００２３】
（３）前記バイアス設定手段にて、一定電圧を印加し、前記電流検知手段の検出値にて該定着フィルムのインピーダンスを検出することを特徴とする前記（１）記載の画像形成装置を提供する。
【００２４】
（４）前記バイアス印加手段にて、周囲温度に応じて、印加するバイアスを設定することを特徴とする前記（１）記載の画像形成装置を提供する。
【００２５】
（５）前記バイアス印加手段にて、該記録材に応じて、印加するバイアスを設定することを特徴とする前記（１）記載の画像形成装置を提供する。
【発明の効果】
【００２６】
以上説明したように、記録材上にトナー像を形成する画像形成部と、該トナー像を加熱して該記録材に定着させる定着装置を備える画像形成装置において、請求項１の本発明は、該加圧部材と定着フィルムとの間に記録材を挟持搬送する前に、該定着フィルムにバイアスを印加するバイアス印加手段、前記バイアス印加時に該定着フィルムに流れる電流値を検出する電流検知手段、前記電流検知手段の検出値に基づき、該定着フィルムのインピーダンスを検出するインピーダンス検出手段、該加圧部材と定着フィルムとの間に記録材を挟持搬送するときに、前記インピーダンス検出手段の検出値に基づき、該定着フィルムに印加するバイアスを設定するバイアス設定手段を有することを特徴とする画像形成装置を提供することにより、トナー飛び散りの少ない高品質な画像を実現することが可能となる。
【００２７】
請求項２の本発明は、前記バイアス印加手段にて、前記電流検知手段の検出値が一定となるようにバイアスを設定し、その設定値にて該定着フィルムのインピーダンスを検出することを特徴とする請求項１記載の画像形成装置を提供することにより、トナー飛び散りの少ない高品質な画像を実現することが可能となる。
【００２８】
請求項３の本発明は、前記バイアス設定手段にて、一定電圧を印加し、前記電流検知手段の検出値にて該定着フィルムのインピーダンスを検出することを特徴とする請求項１記載の画像形成装置を提供することにより、トナー飛び散りの少ない高品質な画像を実現することが可能となる。
【００２９】
請求項４の本発明は、前記バイアス印加手段にて、周囲温度に応じて、印加するバイアスを設定することを特徴とする請求項１記載の画像形成装置を提供することにより、周囲温度に影響されない、トナー飛び散りの少ない高品質な画像を実現することが可能となる。
【００３０】
請求項５の本発明は、前記バイアス印加手段にて、該記録材に応じて、印加するバイアスを設定することを特徴とする請求項１記載の画像形成装置を提供することにより、記録材の種類に影響されない、トナー飛び散りの少ない高品質な画像を実現することが可能となる。
【発明を実施するための最良の形態】
【００３１】
以下に、本発明の実施の形態を図面に基づいて説明する。
【実施例１】
【００３２】
本実施例は、記録材上にトナー像を形成する画像形成部と、該トナー像を加熱して該記録材に定着させる定着装置を備える画像形成装置において、定着装置内に定着フィルムを有し、その定着フィルムのインピーダンスに影響されない一定の高圧バイアスを定着フィルムに印加し、搬送部材上に画像形成されたトナーの飛び散りを防ぐことを特徴とする。
【００３３】
図１に定着バイアス効果の概念図を示す。
【００３４】
５０１は定着フィルム、５０２は定着バイアス回路、５０３は除電針、５０４は記録材、５０５は加圧ローラ、５０６は電流制限抵抗である。
【００３５】
トナーの飛び散りは定着時に生じる水蒸気の影響によって起こる。それを抑えるためには、トナーが−帯電していることから、定着フィルム上を負電位にする。そのすることでトナーを記録材に引き付け、水蒸気によるトナー飛び散りを抑制する。安定したトナー飛び散り防止を行うには、定着フィルム上の電位を定着フィルムのインピーダンスに影響されない一定の電圧にする必要性がある。
【００３６】
図１の構成では、人体への安全を考慮して、５０６の電流制限抵抗を接続する必要がある。そのため、定着フィルムのインピーダンスと５０６電流制限抵抗の抵抗比の電圧が定着フィルムの電位となる。つまり、定着フィルムのインピーダンスに違いによって、定着フィルム上の負電圧が異なってしまう。本実施例はこの定着フィルムのインピーダンスに違いによる負電圧のバラツキを抑えることを目的とする。
【００３７】
図２に本発明の第一の実施形態における定着バイアス接続方法の一例を示す。
【００３８】
図２において６０１は定着装置で、６０２の定着フィルム、６０３の加熱体であるセラミックヒータ、６０４の加圧部材である加圧ローラ、６０５の除電針から構成されている。６０２の定着フィルムには６０６の定着フィルムバイアス回路が接続され、負極の高電圧バイアスが印加される。
【００３９】
図３に本発明の第一の実施形態における定着バイアス回路構成の一例を示す。
【００４０】
図３において７０１は定着フィルムバイアス回路部で、７０２の増幅回路部と７０３の平滑回路部、７０４の駆動回路部、７０５のフィードバック回路部から構成されている。
【００４１】
定着フィルムバイアスを出力する場合、７０６ＰＷＭ信号は７０３平滑回路部に入力され、７０７のトランジスタにて電圧変換される。その後、７０８のフィルタ回路、７０９のバッファ回路を経て、７１０のコンデンサに電圧Ｖｃｈがチャージされる。この電圧Ｖｃｈは７０２増幅回路部の７１１のトランスに入力される。７１１トランスは７１２駆動信号が入力されることで動作し、電圧Ｖ１を電圧増幅させる。増幅された電圧は７１３の高圧フィルタ回路で平滑され、平滑後、定着フィルムに印加される。７０５は定着フィルムに流れる電流を検知する検知回路で図３の電流ルートで流れる電流値を検出する。
【００４２】
本実施例のフローチャートを図４に示す。
【００４３】
まず、電源ＯＮした後（Ｓ６０１）、前多回転にて一定のＰＷＭ値αが印加される（Ｓ６０２，Ｓ６０３）。そのＰＷＭ値αの基づいた高圧バイアスＶ１が定着フィルムに印加される。そのとき、定着フィルムに流れる同じ電流Ｉ１は７０５フィードバック回路部の抵抗Ｒ１に流れ、電圧降下分ΔＶ（＝Ｉ１×Ｒ１）で検知され、制御回路部７１５にフィードバックされる（Ｓ６０５）。
【００４４】
高圧バイアスはＰＷＭ値αに準じて出力されることから、換算式もしくはテーブルを制御回路部で設けることで、制御回路部が高圧バイアスの出力値を把握することが可能となる。また、定着フィルムに流れる電流は、抵抗Ｒ１と電圧降下分ΔＶより、制御回路部の演算にて算出することができる。よって、高圧バイアスの出力値と電流値より、定着フィルムのインピーダンスを制御回路部で算出することが可能となる（Ｓ６０６）。
【００４５】
次に、定着フィルム層での電圧降下分を一定とするために、算出したインピーダンスの値に適したＰＷＭ値βを制御回路部で算出する（Ｓ６０７）。そして、プリントが開始されると算出されたＰＷＭ値βが設定され（Ｓ６０９）、定着フィルムのインピーダンスに応じた高圧バイアスが印加される（Ｓ６１０）。
【００４６】
このような制御を行うことで定着フィルムのインピーダンスの左右されない一定の電圧を定着フィルムに印加することが可能となり、トナーの飛び散りがない、高品質な画像が形成されることが可能となる。
【実施例２】
【００４７】
本実施例は、実施例１と同様に、記録材上にトナー像を形成する画像形成部と、該トナー像を加熱して該記録材に定着させる定着装置を備える画像形成装置において、定着装置内に定着フィルムを有し、その定着フィルムのインピーダンスに影響されない一定の高圧バイアスを定着フィルムに印加し、搬送部材上に画像形成されたトナーの飛び散りを防ぐことを特徴とする。
【００４８】
定着バイアス効果の概念図、定着バイアス接続方法、定着バイアス回路構成は実施例１と同様であることから、説明を割愛する。
【００４９】
本実施例のフローチャートを図５に示す。まず、電源ＯＮした後（Ｓ７０１）、前多回転にてＰＷＭ値を徐徐に上げていく（Ｓ７０３）。そうすることで定着フィルムに流れる電流Ｉ１も次第に上昇していく（Ｓ７０４）。その電流Ｉ１は、７０５フィードバック回路部の抵抗Ｒ１に流れ、電圧降下分Ｖｔ（＝Ｉ１×Ｒ１）で検知され、制御回路部７１５にフィードバックされる（Ｓ７０５）。
【００５０】
制御回路部にてフィードバックされる電圧がＶｔに達したとき、ＰＷＭ値の上昇をやめ、ＰＷＭ値γを記録する（Ｓ７０６）。高圧バイアスはＰＷＭ値γに準じて出力されることから、換算式もしくはテーブルを制御回路部で設けることで、制御回路部が高圧バイアスの出力値を把握することが可能となる。
【００５１】
また、定着フィルムに流れる電流は、抵抗Ｒ１と電圧降下分Ｖｔより、制御回路部の演算にて算出することができる。よって、高圧バイアスの出力値と電流値より、定着フィルムのインピーダンスを制御回路部で算出することが可能となる（Ｓ７０７）。
【００５２】
次に、定着フィルム層での電圧降下分を一定とするために、算出したインピーダンスの値に適したＰＷＭ値ηを制御回路部で算出する（Ｓ７０８）。そして、プリントが開始されると算出されたＰＷＭ値ηが設定され（Ｓ７１０）、定着フィルムのインピーダンスに応じた高圧バイアスが印加される（Ｓ７１１）。
【００５３】
このような制御を行うことで定着フィルムのインピーダンスの左右されない一定の電圧を定着フィルムに印加することが可能となり、トナーの飛び散りがない、高品質な画像が形成されることが可能となる。
【実施例３】
【００５４】
本実施例は、実施例１と同様に、記録材上にトナー像を形成する画像形成部と、該トナー像を加熱して該記録材に定着させる定着装置を備える画像形成装置において、定着装置内に定着フィルムを有し、その定着フィルムのインピーダンスに影響されない一定の高圧バイアスを定着フィルムに印加し、かつ、周囲温度に応じて、印加する高圧バイアスの設定値を変えることで、周囲温度／湿度に影響されず、トナーの飛び散りを防ぐことが可能となることを特徴とする。
【００５５】
定着バイアス効果の概念図、定着バイアス接続方法、定着バイアス回路構成は実施例１と同様であることから、説明を割愛する。本実施例では、定着バイアス回路構成において、温度／湿度センサが接続され、周囲の温度、湿度を検知できる構成となっている（図６）。
【００５６】
実施例１の定着バイアス効果の概念図にて説明したように、トナーの飛び散りは定着時に生じる水蒸気の影響によって起こる。そのため、周囲温度／湿度の影響を受ける。温度／湿度が高い場合には、記録材に吸収されている水分が高いことから、高圧バイアスを高めに設定する必要がある。逆に温度／湿度が低い場合には、記録材に吸収されている水分が低いことから、高圧バイアスを低めに設定する必要がある。このように、周囲温度／湿度の状態に応じた高圧バイアスが印加できることで、水蒸気によるトナー飛び散りを抑制することが可能となる。
【００５７】
本実施例のフローチャートを図７に示す。
【００５８】
まず、電源ＯＮした後（Ｓ８０１）、前多回転にて一定のＰＷＭ値αが印加される（Ｓ８０２，Ｓ８０３）。そのＰＷＭ値αの基づいた高圧バイアスＶ１が定着フィルムに印加される。そのとき、定着フィルムに流れる同じ電流Ｉ１は７０５フィードバック回路部の抵抗Ｒ１に流れ、電圧降下分ΔＶ（＝Ｉ１×Ｒ１）で検知され、制御回路部７１５にフィードバックされる（Ｓ８０５）。高圧バイアスはＰＷＭ値αに準じて出力されることから、換算式もしくはテーブルを制御回路部で設けることで、制御回路部が高圧バイアスの出力値を把握することが可能となる。
【００５９】
また、定着フィルムに流れる電流は、抵抗Ｒ１と電圧降下分ΔＶより、制御回路部の演算にて算出することができる。よって、高圧バイアスの出力値と電流値より、定着フィルムのインピーダンスを制御回路部で算出することが可能となる（Ｓ８０６）。また、本体に備え付けられた温度センサ、湿度センサより得られる検出値より、周囲温度と湿度を検知する（Ｓ８０７）。そして、制御回路部で設けられたテーブルにて、周囲温度／湿度と定着フィルムのインピーダンスを考慮したＰＷＭ値βを算出する（Ｓ８０８）。そして、プリントが開始されると算出されたＰＷＭ値βが設定され（Ｓ８１０）、周囲温度／湿度と定着フィルムのインピーダンスに応じた高圧バイアスが印加される（Ｓ８１１）。
【００６０】
このような制御を行うことで周囲温度／湿度と定着フィルムのインピーダンスの左右されない一定の電圧を定着フィルムに印加することが可能となり、トナーの飛び散りがない、高品質な画像が形成されることが可能となる。
【実施例４】
【００６１】
本実施例は、実施例１と同様に、記録材上にトナー像を形成する画像形成部と、該トナー像を加熱して該記録材に定着させる定着装置を備える画像形成装置において、定着装置内に定着フィルムを有し、その定着フィルムのインピーダンスに影響されない一定の高圧バイアスを定着フィルムに印加し、かつ、記録材の種類に応じて、印加する高圧バイアスの設定値を変えることで、記録材の種類に影響されず、トナーの飛び散りを防ぐことが可能となることを特徴とする。
【００６２】
定着バイアス効果の概念図、定着バイアス接続方法、定着バイアス回路構成は実施例１と同様であることから、説明を割愛する。本実施例では、定着バイアス回路構成において、記録材検出センサが接続され、記録材の種類を検知できる構成となっている（図８）。
【００６３】
実施例１の定着バイアス効果の概念図にて説明したように、トナーの飛び散りは定着時に生じる水蒸気の影響によって起こる。そのため、記録材の吸水量の違いの影響を受ける。また、記録材の表面性において、トナーの付着力も異なってくる。そのため、吸水量が高く、かつトナー付着力の低い記録材の場合には、高圧バイアスを高めに設定する必要がある。
【００６４】
逆に吸水量が高く、かつトナー付着力の低い記録材の場合には、高圧バイアスを低めに設定する必要がある。このように、記録材の種類に応じた高圧バイアスが印加できることで、水蒸気によるトナー飛び散りを抑制することが可能となる。
【００６５】
本実施例のフローチャートを図９に示す。
【００６６】
まず、電源ＯＮした後（Ｓ９０１）、前多回転にて一定のＰＷＭ値αが印加される（Ｓ９０２，Ｓ９０３）。そのＰＷＭ値αの基づいた高圧バイアスＶ１が定着フィルムに印加される。そのとき、定着フィルムに流れる同じ電流Ｉ１は７０５フィードバック回路部の抵抗Ｒ１に流れ、電圧降下分ΔＶ（＝Ｉ１×Ｒ１）で検知され、制御回路部７１５にフィードバックされる（Ｓ９０５）。高圧バイアスはＰＷＭ値αに準じて出力されることから、換算式もしくはテーブルを制御回路部で設けることで、制御回路部が高圧バイアスの出力値を把握することが可能となる。
【００６７】
また、定着フィルムに流れる電流は、抵抗Ｒ１と電圧降下分ΔＶより、制御回路部の演算にて算出することができる。よって、高圧バイアスの出力値と電流値より、定着フィルムのインピーダンスを制御回路部で算出することが可能となる（Ｓ９０６）。
【００６８】
また、本体に備え付けられた記録材検出センサより得られる検出値より、記録材の種類を検知する（Ｓ９０７）。そして、制御回路部で設けられたテーブルにて、記録材の種類と定着フィルムのインピーダンスを考慮したＰＷＭ値βを算出する（Ｓ９０８）。そして、プリントが開始されると算出されたＰＷＭ値βが設定され、（Ｓ９１０）記録材の種類と定着フィルムのインピーダンスに応じた高圧バイアスが印加される（Ｓ９１１）。
【００６９】
このような制御を行うことで記録材の種類と定着フィルムのインピーダンスの左右されない一定の電圧を定着フィルムに印加することが可能となり、トナーの飛び散りがない、高品質な画像が形成されることが可能となる。
【図面の簡単な説明】
【００７０】
【図１】本発明実施例１の定着バイアス効果の概念図
【図２】本発明実施例１の定着バイアス接続方法概略図
【図３】本発明実施例１の定着バイアス回路構成
【図４】本発明実施例１のフローチャート概略図
【図５】本発明実施例２のフローチャート概略図
【図６】本発明実施例３の定着バイアス回路構成
【図７】本発明実施例３のフローチャート概略図
【図８】本発明実施例４の定着バイアス回路構成
【図９】本発明実施例４のフローチャート概略図
【図１０】本発明における画像記録装置本体構成の概略図
【図１１】本発明における画像記録装置コントローラ部の概略図
【図１２】従来の定着バイアス接続方法概略図
【符号の説明】
【００７１】
５０１  定着フィルム
５０２  定着バイアス回路
５０３  除電針
５０４  記録材
５０５  加圧ローラ
５０６  電流制限抵抗
【図１】
2006171053.tif 000003
【図２】
2006171053.tif 000004
【図３】
2006171053.tif 000005
【図４】
2006171053.tif 000006
【図５】
2006171053.tif 000007
【図６】
2006171053.tif 000008
【図７】
2006171053.tif 000009
【図８】
2006171053.tif 000010
【図９】
2006171053.tif 000011
【図１０】
2006171053.tif 000012
【図１１】
2006171053.tif 000013
【図１２】
2006171053.tif 000014